(57)【要約】【課題】ネットワーク接続時の設定の手間を軽減させる。【解決手段】本発明の携帯端末は、複数のネットワークのいずれかに接続先を切り替え可能な携帯端末であって、接続先のネットワーク上のサーバとの通信に必要な設定データが前記接続先のネットワークに応じて設定されることで前記サーバと通信を行うクライアント部と、前記携帯端末が接続するネットワーク毎に、該ネットワークに応じた前記設定データを決定するためのルールを前記ネットワークに対応させて記憶する記憶部と、前記携帯端末がネットワークに接続すると、該接続先のネットワークを識別し、該識別したネットワークに対応して前記記憶部に記憶されているルールに従って前記設定データを決定し、該決定した設定データを前記クライアント部に設定する決定部と、を有する。【選択図】図１
2012190393.tif 000002
【特許請求の範囲】
【請求項１】
複数のネットワークのいずれかに接続先を切り替え可能な携帯端末であって、
接続先のネットワーク上のサーバとの通信に必要な設定データが前記接続先のネットワークに応じて設定されることで前記サーバと通信を行うクライアント部と、
前記携帯端末が接続するネットワーク毎に、該ネットワークに応じた前記設定データを決定するためのルールを前記ネットワークに対応させて記憶する記憶部と、
前記携帯端末がネットワークに接続すると、該接続先のネットワークを識別し、該識別したネットワークに対応して前記記憶部に記憶されているルールに従って前記設定データを決定し、該決定した設定データを前記クライアント部に設定する設定部と、を有することを特徴とする携帯端末。
【請求項２】
請求項１記載の携帯端末において、
前記記憶部は、前記携帯端末固有の設定データをさらに記憶し、
前記設定部は、前記設定ルールに従い決定した設定データに前記記憶部に記憶されている前記携帯端末固有の設定データを付加して前記クライアント部に設定することを特徴とする携帯端末。
【請求項３】
複数のネットワークのいずれかに接続先を切り替え可能な携帯端末の制御方法であって、
クライアント部が、接続先のネットワーク上のサーバとの通信に必要な設定データが前記接続先のネットワークに応じて設定されることで前記サーバと通信を行い、
記憶部が、前記携帯端末が接続するネットワーク毎に、該ネットワークに応じた前記設定データを決定するためのルールを前記ネットワークに対応させて記憶し、
設定部が、前記携帯端末がネットワークに接続すると、該接続先のネットワークを識別し、該識別したネットワークに対応して前記記憶部に記憶されているルールに従って前記設定データを決定し、該決定した設定データを前記クライアント部に設定することを特徴とする携帯端末の制御方法。
【請求項４】
請求項３記載の携帯端末の制御方法において、
前記記憶部が、前記携帯端末固有の設定データをさらに記憶し、
前記設定部が、前記設定ルールに従い決定した設定データに前記記憶部に記憶されている前記携帯端末固有の設定データを付加して前記クライアント部に設定することを特徴とする携帯端末の制御方法。
【発明の詳細な説明】
【技術分野】
【０００１】
本発明は、携帯端末およびその制御方法に関する。
【背景技術】
【０００２】
近年の無線ＬＡＮ（Local Area Network）などのインフラの整備、普及に伴い、利用者がノート型のパーソナルコンピュータなどの携帯端末を持ち歩き、使用場所に応じて、その時々で異なるコンピュータネットワークに接続させて作業を行うという利用形態が一般的になりつつある。
【０００３】
また、ネットワーク上のＷｅｂコンテンツのデータの送信などを行うコンテンツサーバと携帯端末（クライアント）とがデータの送受信などを行うための通信プロトコルであるＨＴＴＰ（HyperText Transfer Protocol）を基盤としたＷｅｂ関連技術も日常的に利用されるようになってきている。特に、最近では、業務サービスなどのシステムをネットワーク上のサーバで動作するＷｅｂアプリケーションとして構築する例が一般的になっており、Ｗｅｂ関連技術は、コンピュータネットワークの基盤インフラを構成する重要な技術の１つと看做されている。
【０００４】
Ｗｅｂ関連技術の構成要素の１つとしてＷｅｂプロキシが挙げられる。
【０００５】
携帯端末へのＷｅｂプロキシの設定が行われると、携帯端末は、コンテンツサーバとの通信を、携帯端末とコンテンツサーバとの間でデータを中継するプロキシサーバを介して行う。
【０００６】
プロキシサーバは、コンテンツサーバから一度送信されたデータをキャッシュし、例えば、データの更新があった場合には、キャッシュしているデータとの差分だけを携帯端末に送信するキャッシュ機能、および、自身を介して行われる通信をチェックするチェック機能などを備えている。
【０００７】
プロキシサーバがキャッシュ機能を備えることにより、送受信されるデータ量が減り、ネットワーク負荷が軽減される（例えば、特許文献１（特開２００５−３０９６８８号公報）参照）。また、プロキシサーバがチェック機能を備えることにより、近年のＷｅｂ関連技術の重要度の増大に伴い、情報漏洩対策、アクセス制御、セキュリティ確保なども図られるようになっている。
【先行技術文献】
【特許文献】
【０００８】
【特許文献１】特開２００５−３０９６８８号公報
【発明の概要】
【発明が解決しようとする課題】
【０００９】
Ｗｅｂプロキシの設定は、利用者が手動で行うのが一般的であったが、近年では、自動的にＷｅｂプロキシの設定を行うＰＡＣ（Proxy Auto-Config）、ＷＰＡＤ（Web Proxy Auto-Discovery）などの自動設定方法が広く用いられるようになっている。
【００１０】
ＰＡＣとは、携帯端末に設定すべきＷｅｂプロキシ設定を示す設定ファイルデータをネットワーク上のＷｅｂプロキシ設定配信サーバで記憶しておく方法である。ＰＡＣによれば、Ｗｅｂプロキシ設定配信サーバを利用者が指定し、携帯端末は、指定されたＷｅｂプロキシ設定配信サーバにアクセスして取得した設定ファイルデータに基づきＷｅｂプロキシの設定を行う。
【００１１】
また、ＷＰＡＤとは、Ｗｅｂプロキシ設定配信サーバを検出するための設定をＤＨＣＰ（Dynamic Host Configuration Protocol）サーバやＤＮＳ（ HYPERLINK "http://ja.wikipedia.org/wiki/Domain#Name#System" \o "Domain Name System" Domain Name System）サーバに対して行う方法である。ＷＰＡＤによれば、携帯端末は、ＤＨＣＰサーバやＤＮＳサーバを参照してＷｅｂプロキシ設定配信サーバを検出し、検出したＷｅｂプロキシ設定配信サーバにアクセスして取得した設定ファイルデータに基づきＷｅｂプロキシの設定を行う。
【００１２】
ところで、Ｗｅｂプロキシ設定は、ネットワーク毎に異なる。また、上述したように、Ｗｅｂプロキシの自動設定方法が広く用いられるようになっているが、一般に、ネットワーク間で適用される自動設定方法は異なることがある。
【００１３】
したがって、Ｗｅｂプロキシの自動設定方法が用いられたとしても、上述したような使用場所に応じて異なるネットワークに携帯端末を接続させるという利用形態においては、接続先のネットワークが変わるたびに、Ｗｅｂプロキシ設定配信サーバを指定するなど、接続先のネットワークに応じたＷｅｂプロキシ設定を決定するためのルールに従う必要があり、手間がかかるという課題がある。
【００１４】
本発明の目的は、上述した課題を解決し、Ｗｅｂプロキシの設定の手間を省くことができる携帯端末およびその制御方法を提供することにある。
【課題を解決するための手段】
【００１５】
上記目的を達成するために本発明の携帯端末は、
複数のネットワークのいずれかに接続先を切り替え可能な携帯端末であって、
接続先のネットワーク上のサーバとの通信に必要な設定データが前記接続先のネットワークに応じて設定されることで前記サーバと通信を行うクライアント部と、
前記携帯端末が接続するネットワーク毎に、該ネットワークに応じた前記設定データを決定するためのルールを前記ネットワークに対応させて記憶する記憶部と、
前記携帯端末がネットワークに接続すると、該接続先のネットワークを識別し、該識別したネットワークに対応して前記記憶部に記憶されているルールに従って前記設定データを決定し、該決定した設定データを前記クライアント部に設定する設定部と、を有する。
【００１６】
上記目的を達成するために本発明の携帯端末の制御方法は、
複数のネットワークのいずれかに接続先を切り替え可能な携帯端末の制御方法であって、
クライアント部が、接続先のネットワーク上のサーバとの通信に必要な設定データが前記接続先のネットワークに応じて設定されることで前記サーバと通信を行い、
記憶部が、前記携帯端末が接続するネットワーク毎に、該ネットワークに応じた前記設定データを決定するためのルールを前記ネットワークに対応させて記憶し、
設定部が、前記携帯端末がネットワークに接続すると、該接続先のネットワークを識別し、該識別したネットワークに対応して前記記憶部に記憶されているルールに従って前記設定データを決定し、該決定した設定データを前記クライアント部に設定する。
【発明の効果】
【００１７】
本発明によれば、ネットワーク接続時の携帯端末へのＷｅｂプロキシの設定の手間を軽減することができる。
【図面の簡単な説明】
【００１８】
【図１】本発明の第１の実施形態の携帯端末が適用されるネットワークシステムの構成を示す図である。
【図２】図１に示す携帯端末の動作を示すフローチャートである。
【図３】図１に示すネットワーク別Ｗｅｂプロキシ設定ルール記憶部に記憶される設定ルールの一例を示す図である。
【図４】本発明の第２の実施形態の携帯端末の構成を示すブロック図である。
【図５】図４に示す携帯端末の動作を示すフローチャートである。
【図６】図４に示す端末固有設定記憶部に記憶されるＷｅｂプロキシ設定の一例を示す図である。
【図７】図４に示すＷｅｂプロキシ設定決定部が決定するＷｅｂプロキシ設定の一例を示す図である。
【発明を実施するための形態】
【００１９】
以下に、本発明を実施するための形態について図面を参照して説明する。
【００２０】
（第１の実施形態）
図１は、本実施形態の携帯端末１０が適用されるネットワークシステム１の構成の一例を示す図である。
【００２１】
図１に示すネットワークシステム１は、企業内コンピュータネットワークなどのそれぞれ独立したネットワーク２，３，４と、携帯端末１０と、ネットワーク２に接続するサーバ端末２０，３０と、ネットワーク３に接続するサーバ端末４０，５０と、ネットワーク４に接続するサーバ端末６０と、を具備する。
【００２２】
携帯端末１０は、ネットワーク２，３，４のいずれかに接続先を切り替え可能であり、接続先のネットワーク上のサーバ端末とデータの送受信などの通信を行う。なお、携帯端末１０の具体例としては、スマートフォン、ノート型のパーソナルコンピュータなどがある。
【００２３】
サーバ端末２０およびサーバ端末４０はそれぞれ、自身が接続するネットワークに接続する携帯端末１０が使用すべきＷｅｂプロキシ設定を示す設定ファイルデータを送信するＷｅｂプロキシ設定配信サーバである。
【００２４】
サーバ端末３０、サーバ端末５０、および、サーバ端末６０は、自身が接続するネットワークに接続する携帯端末１０とＷｅｂコンテンツのデータの送受信などの通信を行うＷｅｂプロキシサーバである。
【００２５】
次に、携帯端末１０の構成について説明する。
【００２６】
携帯端末１０は、ＨＴＴＰクライアント部１１と、送受信部１２と、Ｗｅｂプロキシ設定検出部１３と、ネットワーク別Ｗｅｂプロキシ設定ルール記憶部１４と、Ｗｅｂプロキシ設定決定部１５と、を有する。
【００２７】
また、ＨＴＴＰクライアント部１１は、Ｗｅｂプロキシ設定読み込み部１６を有する。
【００２８】
なお、Ｗｅｂプロキシ設定決定部１５は、設定部の一例である。
【００２９】
ＨＴＴＰクライアント部１１は、Ｗｅｂブラウザなどであり、携帯端末１０が接続するネットワークに応じたＷｅｂプロキシの設定が行われると、ＨＴＴＰプロトコルなどに従って、そのネットワーク上のＷｅｂプロキシサーバと通信を行う。
【００３０】
送受信部１２は、接続先のネットワークを識別し、識別したネットワークを示す識別情報を、Ｗｅｂプロキシ設定検出部１３を介してＷｅｂプロキシ設定決定部１５に出力する。なお、送受信部１２は、例えば、ネットワーク２，３，４が無線ＬＡＮである場合には、無線ＬＡＮのアクセスポイントに付与される、ネットワークを識別するためのＥＳＳＩＤ（Ｅｘｔｅｎｄｅｄ Ｓｅｒｖｉｃｅ Ｓｅｔ Ｉｄｅｎｔｉｆｉｅｒ）に基づき、接続先のネットワークを識別する。
【００３１】
また、送受信部１２は、ＨＴＴＰプロトコルなどに従って、ネットワークを介してＷｅｂプロキシ設定配信サーバから送信される設定ファイルデータを受信し、Ｗｅｂプロキシ設定検出部１３を介してＷｅｂプロキシ設定決定部１５に出力する。
【００３２】
Ｗｅｂプロキシ設定検出部１３は、Ｗｅｂプロキシ設定決定部１５の指示に応じて、送受信部１２に設定ファイルデータを取得させる。
【００３３】
ネットワーク別Ｗｅｂプロキシ設定ルール記憶部１４は、携帯端末１０が接続するネットワーク毎に、各ネットワークに応じたＷｅｂプロキシ設定を決定するためのルール（設定ルール）をそのネットワークに対応させて記憶する。
【００３４】
Ｗｅｂプロキシ設定決定部１５は、送受信部１２から出力された識別情報に示されるネットワークに対応してネットワーク別Ｗｅｂプロキシ設定ルール記憶部１４に記憶されている設定ルールに従い、送受信部１２に設定ファイルデータを取得させる旨をＷｅｂプロキシ設定検出部１３に指示する。また、Ｗｅｂプロキシ設定決定部１５は、その指示に従い取得された設定ファイルデータが送受信部１２から出力されると、その設定ファイルデータに示されるＷｅｂプロキシ設定を使用すると決定する。
【００３５】
Ｗｅｂプロキシ設定読み込み部１６は、Ｗｅｂプロキシ設定決定部１５が決定したＷｅｂプロキシ設定を読み込み、ＨＴＴＰクライアント部１１に設定する。
【００３６】
次に、サーバ端末２０およびサーバ端末３０の構成について説明する。
【００３７】
サーバ端末２０は、Ｗｅｂプロキシ設定記憶部２１と、送受信部２２と、を有する。
【００３８】
Ｗｅｂプロキシ設定記憶部２１は、ネットワーク２に接続する携帯端末１０が使用すべきＷｅｂプロキシ設定を示す設定ファイルデータを記憶する。
【００３９】
送受信部２２は、ＨＴＴＰプロトコルなどに従い、Ｗｅｂプロキシ設定記憶部２１に記憶されている設定ファイルデータをネットワーク２に接続する携帯端末１０に送信する。
【００４０】
サーバ端末３０は、ＨＴＴＰプロトコルなどに従い、ネットワーク２に接続する携帯端末１０のＨＴＴＰクライアント部１１とＷｅｂコンテンツのデータの送受信などの通信を行う送受信部３１を有する。
【００４１】
なお、サーバ端末４０は、サーバ端末２０と比較して接続するネットワークが異なるだけで同様の構成を有するので説明を省略する。また、サーバ端末５０およびサーバ端末６０は、サーバ端末３０と比較して接続するネットワークが異なるだけで同様の構成を有するので説明を省略する。
【００４２】
次に、携帯端末１０の動作について説明する。
【００４３】
図２は、携帯端末１０のＷｅｂプロキシの設定時の動作を示すフローチャートである。
【００４４】
なお、以下では、Ｗｅｂプロキシの自動設定方法として、ネットワーク２にはＷＰＡＤが適用され、ネットワーク３にはＰＡＣが適用されるものとする。
【００４５】
また、以下では、ネットワーク２における設定ファイルデータをＷＰＡＤ設定ファイルデータと称し、ネットワーク３における設定ファイルデータをＰＡＣ設定ファイルデータと称する。
【００４６】
また、以下では、ＷＰＡＤ設定ファイルデータは、サーバ端末２０のＷｅｂプロキシ設定記憶部２１に記憶され、ＰＡＣ設定ファイルデータは、図１では記載を省略した、サーバ端末４０のＷｅｂプロキシ設定記憶部に記憶されているものとする。
【００４７】
また、以下では、ネットワーク別Ｗｅｂプロキシ設定ルール記憶部１４は、図３に示す設定ルールを記憶しているものとする。
【００４８】
具体的には、ネットワーク別Ｗｅｂプロキシ設定ルール記憶部１４は、ネットワーク３については、設定ルールの種別として「ＰＡＣ  ＵＲＩ」を記憶し、さらに、ＰＡＣ設定ファイルデータを記憶しているサーバ端末４０のＵＲＩ（Uniform Resource Identifier）を示すＰＡＣ  ＵＲＩを記憶している。
【００４９】
また、ネットワーク別Ｗｅｂプロキシ設定ルール記憶部１４は、ネットワーク４については、設定ルールの種別として「ｈｏｓｔ／ｐｏｒｔ」を記憶し、さらに、ネットワーク４上のＷｅｂプロキシサーバであるサーバ端末６０のホスト名およびサーバ端末６０との接続に使用するポート番号を示すｈｏｓｔ／ｐｏｒｔを記憶している。
【００５０】
また、ネットワーク別Ｗｅｂプロキシ設定ルール記憶部１４は、デフォルトのＷｅｂプロキシ設定を記憶している。
【００５１】
なお、ネットワーク２にはＷＰＡＤが適用されるので、ＷＰＡＤ設定ファイルデータが記憶されているサーバのＵＲＩなどを携帯端末１０側で記憶しておく必要がない。したがって、ネットワーク別Ｗｅｂプロキシ設定ルール記憶部１４は、ネットワーク２については設定ルールを記憶しておらず、ネットワーク３およびネットワーク４についてのみ、特別ルールとして図３に示す設定ルールを記憶している。
【００５２】
まず、携帯端末１０がネットワーク２に接続したとすると（ステップＳ１０１）、送受信部１２は、接続先のネットワークを識別し、ネットワーク２を示す識別情報を出力する。
【００５３】
Ｗｅｂプロキシ設定決定部１５は、送受信部１２から出力された識別情報に示されるネットワークに対応して特別ルールがネットワーク別Ｗｅｂプロキシ設定ルール記憶部１４に記憶されているか否かを判定する（ステップＳ１０２）。
【００５４】
図３に示すように、ネットワーク２については特別ルールが記憶されていないので（ステップＳ１０２：ＮＯ）、Ｗｅｂプロキシ設定決定部１５は、ＷＰＡＤ設定ファイルデータの自動検出を行う旨をＷｅｂプロキシ設定検出部１３に指示する。
【００５５】
Ｗｅｂプロキシ設定検出部１３は、Ｗｅｂプロキシ設定決定部１５の指示を受けて、送受信部１２にＷＰＡＤ設定ファイルデータの自動検出を行わせる（ステップＳ１０３）。
【００５６】
送受信部１２は、Ｗｅｂプロキシ設定記憶部２１に記憶されているＷＰＡＤ設定ファイルデータの自動検出に成功した場合には、そのＷＰＡＤ設定ファイルデータを受信して出力する。また、送受信部１２は、ＷＰＡＤ設定ファイルデータの自動検出に失敗した場合には、その旨をＷｅｂプロキシ設定決定部１５に通知する。
【００５７】
Ｗｅｂプロキシ設定決定部１５は、ＷＰＡＤ設定ファイルデータの自動検出の成否を判定する（ステップＳ１０４）。
【００５８】
送受信部１２が自動検出に成功し、ＷＰＡＤ設定ファイルデータが出力された場合には（ステップＳ１０４：ＹＥＳ）、Ｗｅｂプロキシ設定決定部１５は、そのＷＰＡＤ設定ファイルデータに示されるＷｅｂプロキシ設定を使用すると決定する（ステップＳ１０５）。
【００５９】
Ｗｅｂプロキシ設定決定部１５がＷｅｂプロキシ設定を決定すると、Ｗｅｂプロキシ設定読み込み部１６は、そのＷｅｂプロキシ設定を読み込み、ＨＴＴＰクライアント部１１に設定する。
【００６０】
一方、送受信部１２から自動検出に失敗した旨の通知が行われた場合には（ステップＳ１０４：ＮＯ）、Ｗｅｂプロキシ設定決定部１５は、ネットワーク別Ｗｅｂプロキシ設定ルール記憶部１４に記憶されているデフォルトのＷｅｂプロキシ設定を使用すると決定する（ステップＳ１０６）。
【００６１】
次に、接続先のネットワークが、ネットワーク２からネットワーク３に切り替えられたとすると、送受信部１２は、ステップＳ１０１の処理に戻り、新たな接続先であるネットワーク３を示す識別情報を出力する。
【００６２】
図３に示すように、識別情報に示されるネットワーク３に対応して特別ルールが記憶されているので（ステップＳ１０２：ＹＥＳ）、Ｗｅｂプロキシ設定決定部１５は、ＰＡＣ  ＵＲＩが記憶されているか否かを判定する（ステップＳ１０７）。
【００６３】
図３に示すように、ネットワーク３に対応してＰＡＣ  ＵＲＩが記憶されているので（ステップＳ１０７：ＹＥＳ）、Ｗｅｂプロキシ設定決定部１５は、ＰＡＣ  ＵＲＩに示されるサーバ端末４０にアクセスする旨をＷｅｂプロキシ設定検出部１３に指示する。Ｗｅｂプロキシ設定検出部１３は、その指示を受けて、送受信部１２にサーバ端末４０にアクセスし、サーバ端末４０のＷｅｂプロキシ設定記憶部に記憶されているＰＡＣ設定ファイルデータを取得させる。
【００６４】
送受信部１２は、サーバ端末４０から取得したＰＡＣ設定ファイルデータを出力し、Ｗｅｂプロキシ設定決定部１５は、そのＰＡＣ設定ファイルデータに示されるＷｅｂプロキシ設定を使用すると決定する（ステップＳ１０８）。
【００６５】
次に、接続先のネットワークが、ネットワーク３からネットワーク４に切り替えられたとすると、送受信部１２は、ステップＳ１０１の処理に戻り、新たな接続先であるネットワーク４を示す識別情報を出力する。
【００６６】
図３に示すように、識別情報に示されるネットワーク４に対応して特別ルールが記憶されており（ステップＳ１０２：ＹＥＳ）、また、ＰＡＣ  ＵＲＩではなく、ｈｏｓｔ／ｐｏｒｔが記憶されているので（ステップＳ１０７：ＮＯ）、Ｗｅｂプロキシ設定決定部１５は、そのｈｏｓｔ／ｐｏｒｔに示されるサーバ端末６０のホスト名およびポート番号をＷｅｂプロキシ設定として使用すると決定する（ステップＳ１０９）。
【００６７】
このように本実施形態によれば、携帯端末１０は、接続するネットワークに応じたＷｅｂプロキシ設定を決定するルールをそのネットワークに対応させて記憶し、ネットワークの接続時には、その接続先のネットワークに対応して記憶しているルールに従ってＷｅｂプロキシ設定を決定し、ＨＴＴＰクライアント部１１に設定する。
【００６８】
そのため、接続先のネットワークが切り替えられても自動的にＷｅｂプロキシの設定が行われるので、利用者の手間を軽減することができる。
【００６９】
（第２の実施形態）
図４は、本発明の第２の実施形態の携帯端末７０の構成を示すブロック図である。なお、図４において、図１と同様の構成については同じ符号を付し、説明を省略する。また、本実施形態においては、サーバ端末２０〜６０の構成および動作については、第１の実施形態と同様であるので、説明を省略する。
【００７０】
本実施形態の携帯端末７０は、第１の実施形態の携帯端末１０と比較して、端末固有設定記憶部７１を追加した点と、Ｗｅｂプロキシ設定決定部１５をＷｅｂプロキシ設定決定部７２に変更した点と、が異なる。
【００７１】
端末固有設定記憶部７１は、携帯端末１０固有のＷｅｂプロキシ設定を記憶する。
【００７２】
Ｗｅｂプロキシ設定決定部７２は、設定ファイルデータに示されるＷｅｂプロキシ設定、あるいは、デフォルトのＷｅｂプロキシ設定に、端末固有設定記憶部７１に記憶されているＷｅｂプロキシ設定を付加したＷｅｂプロキシ設定を使用すると決定する。
【００７３】
次に、本実施形態の携帯端末７０の動作について説明する。
【００７４】
図５は、携帯端末７０の動作を示すフローチャートである。なお、図５において、図２と同様の処理については同じ符号を付し、説明を省略する。
【００７５】
また、端末固有設定記憶部７１は、図６に示すような、携帯端末１０固有のＷｅｂプロキシ設定を記憶しているものとする。
【００７６】
Ｗｅｂプロキシ設定決定部７２は、ステップＳ１０５、ステップＳ１０６、ステップ１０７、または、ステップＳ１０８においてＷｅｂプロキシ設定を決定した後、端末固有のＷｅｂプロキシ設定が端末固有記憶部７１に記憶されているか否かを判定する（ステップＳ２０１）。
【００７７】
端末固有のＷｅｂプロキシ設定が記憶されていない場合には（ステップＳ２０１：ＮＯ）、Ｗｅｂプロキシ設定決定部７２は、処理を終了する。
【００７８】
端末固有のＷｅｂプロキシ設定が記憶されている場合には（ステップＳ２０１：ＹＥＳ）、Ｗｅｂプロキシ設定決定部７２は、ステップＳ１０５〜Ｓ１０８において決定したＷｅｂプロキシ設定と、端末固有設定記憶部７１に記憶されている携帯端末１０固有のＷｅｂプロキシ設定とを図７に示すテンプレートに従って合成し、合成後のＷｅｂプロキシ設定を使用すると決定する（ステップＳ２０２）。具体的には、図７に示す、端末固有設定置換部分に端末固有設定記憶部７１に記憶されているＷｅｂプロキシ設定が記述され、ネットワーク側設定置換部分にステップＳ１０５〜Ｓ１０８において決定されたＷｅｂプロキシ設定が記述される。
【００７９】
このように本実施形態の携帯端末７０によれば、携帯端末７０固有のＷｅｂプロキシ設定を記憶し、Ｗｅｂプロキシ設定配信サーバから取得したＷｅｂファイルデータなどに基づき決定したＷｅｂプロキシ設定に、記憶している携帯端末７０固有のＷｅｂプロキシ設定を付加して、ＨＴＴＰクライアント部１１に設定する。
【００８０】
そのため、携帯端末７０固有のＷｅｂプロキシ設定を反映したＷｅｂプロキシの設定を行うことができる。
【００８１】
なお、本実施形態においては、ネットワーク別Ｗｅｂプロキシ設定ルール記憶部１４が設定ルールを記憶し、端末固有設定記憶部７１が端末固有のＷｅｂプロキシ設定を記憶する例を用いて説明したがこれに限られるものではなく、１つの記憶部で設定ルールおよびＷｅｂプロキシ設定を記憶するようにしてもよい。
【００８２】
また、上述した第１および第２の実施形態においては、Ｗｅｂプロキシサーバとのデータの送受信に必要なＷｅｂプロキシの設定を行う例を用いて説明したがこれに限られるものではない。例えば、１度の認証で許可されている全ての機能を利用可能とするシングルサインオンサーバ、あるいは、Ｗｅｂ閲覧の際に最初にアクセスされるホームページを有するポータルサーバなどのように、ネットワーク構成上、Ｗｅｂプロキシサーバと同様の構成をとるサーバに接続する場合にも適用することができる。
【符号の説明】
【００８３】
１    ネットワークシステム
２，３，４    ネットワーク
１０，７０    携帯端末
１１    ＨＴＴＰクライアント部
１２    送受信部
１３    Ｗｅｂプロキシ設定検出部
１４    ネットワーク別Ｗｅｂプロキシ設定ルール記憶部
１５    Ｗｅｂプロキシ設定決定部
１６    Ｗｅｂプロキシ設定読み込み部
２０，３０，４０，５０，６０    サーバ端末
２１    Ｗｅｂプロキシ設定記憶部
２２，３１    送受信部
【図１】
2012190393.tif 000003
【図２】
2012190393.tif 000004
【図３】
2012190393.tif 000005
【図４】
2012190393.tif 000006
【図５】
2012190393.tif 000007
【図６】
2012190393.tif 000008
【図７】
2012190393.tif 000009